(57)【要約】【課題】  製造コストを低減することができ、かつ、がたつきによる衝突音を低減することができる、配線用床板を提供する。【解決手段】  配線用床板５は、下方に配線空間Ｓを形成すべく、所定間隔を置いて配置される支持部材４ａ、４ａに架け渡されるように載置される。そして、この配線用床板５は、可燃材料により形成された床板本体５１と、床板本体５１における、支持部材４ａ、４ａに載置される載置部分５５の下面５５ａと、配線空間Ｓを閉塞する閉塞部分５６の下面５６ａとからなる、床板本体５１の下面５１ａの、略全面を覆うように設けられた耐火紙５２とを備える。【選択図】  図２
2008138450.tif 000002
【特許請求の範囲】
【請求項１】
下方に配線空間を形成すべく、所定間隔を置いて配置される支持部材に架け渡されるように載置される配線用床板であって、
可燃材料により形成された床板本体と、
前記床板本体における、前記支持部材に載置される載置部分の下面と、前記配線空間を閉塞する閉塞部分の下面とからなる、前記床板本体の下面の、略全面を覆うように設けられた耐火紙と、
を備える、配線用床板。
【請求項２】
前記床板本体は、中実平板状に形成されている、請求項１に記載の配線用床板。
【請求項３】
前記床板本体は、プラスチック材からなる、請求項１または２に記載の配線用床板。
【請求項４】
前記床板本体は、各種のプラスチックが含まれるプラスチック廃棄物を粉砕した、複数種類のプラスチックが含まれる混合物を、材料にして、融点の低い一部の材料が溶融されてつなぎとなり融点の高い他の材料が粉砕物のままで一体化された溶融混合物によって成形されてなる、請求項１または２に記載の配線用床板。
【請求項５】
前記混合物を構成する主な構成物の比重が、１．０未満である、請求項４に記載の配線用床板。
【請求項６】
前記床板本体は、木材からなる、請求項１または２に記載の配線用床板。
【発明の詳細な説明】
【技術分野】
【０００１】
この発明は、製造コストを低減することができ、かつ、がたつきによる衝突音を低減することができる配線用床板に関する。
【背景技術】
【０００２】
従来、配線空間を形成するための配線用床材があった（例えば、特許文献１参照）。この配線用床材は、支持部材を備えた支持体と、前記支持部材に架け渡されるように載置される配線用床板とから構成されていた。そして、配線用床板は、耐火性および強度を確保するために、金属製であるのが一般的であった。
【０００３】
【特許文献１】特開２０００−１４５１１２号公報
【発明の開示】
【発明が解決しようとする課題】
【０００４】
ところで、前記従来の配線用床材にあっては、配線用床板は、金属製であったため、コスト高とならざるを得なかった。
また、支持体を配置する下地床の不陸などによって、前記支持部材の、前記配線用床板を支持する支持面が均一の高さとなっていない場合に、前記配線用床板が、前記支持面に対してがたつき、そのがたつきによる衝突音を発生させる虞があった。
【０００５】
この発明は、上記した従来の欠点を解決するためになされたものであり、その目的とするところは、製造コストを低減することができ、かつ、がたつきによる衝突音を低減することができる、配線用床板を提供することにある。
【課題を解決するための手段】
【０００６】
この発明に係る配線用床板は、前記目的を達成するために、次の構成からなる。すなわち、
請求項１に記載の発明に係る配線用床板は、下方に配線空間を形成すべく、所定間隔を置いて配置される支持部材に架け渡されるように載置される配線用床板である。そして、この配線用床板は、可燃材料により形成された床板本体と、前記床板本体における、前記支持部材に載置される載置部分の下面と、前記配線空間を閉塞する閉塞部分の下面とからなる、前記床板本体の下面の、略全面を覆うように設けられた耐火紙とを備える。
この配線用床板によると、床板本体における、支持部材に載置される載置部分の下面と、配線空間を閉塞する閉塞部分の下面とからなる、床板本体の下面の、略全面を覆うように耐火紙を設けることで、配線用床板のコストを低減することができ、かつ、配線用床板のがたつきによる衝突音を低減することができる。すなわち、配線空間内で火災が発生しても、耐火紙の、前記閉塞部分の下面を覆う閉塞部分覆い部が、床板本体への延焼を抑制するため、床板本体に安価な可燃材料を用いることが可能となる。また、耐火紙の、前記載置部分の下面を覆う載置部分覆い部が、配線用床板の、支持部材に対するがたつきを吸収し、そのがたつきによる衝突音を低減することができる。
【０００７】
また、請求項２に記載の配線用床板は、請求項１に記載の配線用床板において、前記床板本体は、中実平板状に形成される。このように、床板本体を中実平板状にすることで、床板本体、ひいては配線用床板の強度を十分に確保することが容易となる。しかも、床板本体を中実平板状にすることで、リブのように突出した部分がある場合と比較すると、配線空間内で火災が発生しても、火災の熱が、床板本体の下面を覆うように設けられた耐火紙の、前記閉塞部分の下面を覆う閉塞部分覆い部にて、面全体に広がって分散されるため、温度が高くなりにくい。さらに、床板本体を中実平板状にすることで、例えば、接着剤等の接着手段によって、床板本体の下面に耐火紙を貼り付ける等して、配線用床板を形成する場合に、その貼り付け作業が容易となる。
【０００８】
また、請求項３に記載の配線用床板は、請求項１または２に記載の配線用床板において、前記床板本体は、プラスチック材からなる。
【０００９】
また、請求項４に記載の配線用床板は、請求項１または２に記載の配線用床板において、前記床板本体は、各種のプラスチックが含まれるプラスチック廃棄物を粉砕した、複数種類のプラスチックが含まれる混合物を、材料にして、融点の低い一部の材料が溶融されてつなぎとなり融点の高い他の材料が粉砕物のままで一体化された溶融混合物によって成形される。
この配線用床板によると、床板本体は、各種のプラスチックが含まれるプラスチック廃棄物から得られる混合物を材料にして成形されるため、それらの製造コストが安価となる。すなわち、混合物は、プラスチック廃棄物から得られ、しかも、混合物は、複数種類のプラスチックが含まれたものであるため、単一の材料に分別する工程を省くことができる。これにより、材料となる混合物のコストを削減することができ、その結果、製造コストを安価にすることができる。ここで、混合物には、複数種類のプラスチックが含まれるが、プラスチック以外に、紙とか、アルミ等の無機物や、有機低分子物等が含まれていてもよい。また、プラスチック廃棄物としては、家庭等から排出されたりするプラスチック製容器包装廃棄物が一般的であるが、容器包装廃棄物に限定されるものではない。さらに、床板本体は、融点の低い一部の材料が溶融されてつなぎとなり融点の高い他の材料が粉砕物のままで一体化された溶融混合物から成形されるため、粉砕物のままの材料が床板本体の表面に露出する。これにより、床板本体の表面がざらつき、配線用床板の上にカーペット等の敷物とか仕上げ材を載置した際には、その敷物とか仕上げ材が滑り難くなる。
【００１０】
また、請求項５に記載の配線用床板は、請求項４に記載の配線用床板において、前記混合物を構成する主な構成物の比重が、１．０未満である。こうして、混合物を構成する主な構成物の比重を１．０未満とすることで、塩化ビニル樹脂をほとんど排除することができる。
【００１１】
また、請求項６に記載の配線用床板は、請求項１または２に記載の配線用床板において、前記床板本体は、木材からなる。
【発明の効果】
【００１２】
この発明に係る配線用床板によれば、配線空間内で火災が発生しても、耐火紙の閉塞部分覆い部が、床板本体への延焼を抑制するため、床板本体に安価な可燃材料を用いることが可能となる。また、耐火紙の載置部分覆い部が、配線用床板の、支持部材に対するがたつきを吸収し、そのがたつきによる衝突音を低減することができる。したがって、配線用床板の製造コストを低減することができ、かつ、配線用床板のがたつきによる衝突音を低減することができる。
【発明を実施するための最良の形態】
【００１３】
以下、この発明に係る配線用床板を実施するための最良の形態を図面に基づいて説明する。
【００１４】
図１ないし図１２は、本発明の第一の実施の形態を示す。図中符号１は、基礎床面である。４は、前記基礎床面１上に並べて配置される、複数の支持部材４ａ、４ａを備える支持体である。５、５は、前記支持部材４ａ、４ａに架け渡されるように載置される配線用床板である。
【００１５】
支持体４は、図３〜図７に示すように、支持体本体４１のみからなり、平面視が正方形形状に形成されている。そして、支持体４には、略正方形形状に形成されたブロック状の支持部材４ａが、配線溝３を隔てて、縦横に二つずつ配置されるように設けられている。こうして、配線溝３は、支持体４の中央部分で直角に交差して、縦横に貫くようにして、十字状に形成される。そして、各支持部材４ａは、配線溝３の底面を形成する底板４ｃにより繋がっている。また、支持部材４ａには、その支持部材４ａの上面と配線用床板５の上面とが面一となるようにしてその配線用床板５を支持する段部４ｂが設けられている。この段部４ｂは、配線溝３に沿うように設けられており、一つの支持部材４ａに対して、配線溝３側の二辺に対応して、略Ｌ字形状に延びている。
【００１６】
また、底板４ｃには、段部４ｂに沿って、複数の仕切り突起４ｆ、４ｆが互いに離間して設けられている。こうして、配線溝３は、仕切り突起４ｆ、４ｆにより、中央の主配線溝３ａと、段部４ｂ側（つまりは、支持部材４ａ側）の副配線溝３ｂとに別けられる。図示実施の形態においては、仕切り突起４ｆは、段部４ｂと同一の高さとなるように延びており、段部４ｂと同様に、配線用床板５を支持する機能も有する。図１２は、配線溝３へのケーブル６の配線の一例を示している。この図１２において、電力ケーブル６ａと光ケーブル６ｂとは、配線溝３が交差する部分において、進路を変えるように曲がって配線されている。詳細には、電力ケーブル６ａは、一つの支持部材４ａの周囲に沿うようにして、副配線溝３ｂ内に配線されている。ここで、この副配線溝３ｂは、電力ケーブル６ａの径に合わせた幅を有している。そして、電力ケーブル６ａは、湾曲した部分が戻ろうとすることで、副配線溝３ｂを形成する仕切り突起４ｆとか支持部材４ａとかの側面を押圧する。このため、この電力ケーブル６ａの副配線溝３ｂからの飛び出しが防止される。光ケーブル６ｂは、大きくカーブを描くように、一つの支持部材４ａの周囲にあって、外側の副配線溝３ｂから、主配線溝３ａを横切って、内側の副配線溝３ｂのコーナー部分を通り、さらに、主配線溝３ａを横切って、外側の副配線溝３ｂに達するようにして配線されている。
【００１７】
また、支持部材４ａは、裏面側が開口する中空箱型に形成されて、その中空部分には、格子を形成するようにして支持部材４ａの天壁４ｇから下面４ｈに達する複数の縦横の（図示実施の形態においては、縦横各四本の）補強リブ４ｉ、４ｉが設けられている（図５、図７参照）。
【００１８】
配線用床板５は、下方に配線空間Ｓを形成すべく、前記配線溝３を隔てるように所定間隔を置いて配置される、支持部材４ａ、４ａ（詳細には、段部４ｂ、４ｂ）に架け渡されるように載置される。そして、この配線用床板５は、可燃材料により形成された床板本体５１と、床板本体５１における、支持部材４ａ、４ａ（詳細には、段部４ｂ、４ｂ）に載置される載置部分５５の下面５５ａと、前記配線空間Ｓを閉塞する閉塞部分５６の下面５６ａとからなる、床板本体５１の下面５１ａの、略全面を覆うように設けられた耐火紙５２とを備える。
【００１９】
具体的には、図８〜図１１に示すように、床板本体５１は、中実平板状に形成されている。また、この床板本体５１は、矩形形状をしている。また、耐火紙５２は、載置部分５５の下面５５ａを覆う載置部分覆い部５２ａと、閉塞部分５６の下面５６ａを覆う閉塞部分覆い部５２ｂとを有する。そして、床板本体５１の下面５１ａの略全面を覆うように、耐火紙５２が、例えば、接着剤等の接着手段によって、床板本体５１の下面５１ａに（必要によっては側面にも）貼り付けられることにより、床板本体５１と耐火紙５２とが一体となって、配線用床板５を形成している。
【００２０】
ここにおいて、配線用床板５は、複数備わり、それら配線用床板５、５の床板本体５１、５１の少なくとも二つは、薄肉のヒンジ部５ｄを通じて、そのヒンジ部５ｄとともに、後述するプレスにより一体に成形されている。そして、ヒンジ部５ｄは、床板本体５１の厚さの略中央位置に設けられている。図示実施の形態においては、配線溝３の十字状に対応するように、配線用床板５として、配線溝３の交差する部分を覆う第１の床板５３と、配線溝３の交差する部分から延びる四方の各々を覆う第２の床板５４、５４とが設けられている。そして、第１の床板５３と、第２の床板５４、５４の各々とが、前記ヒンジ部５ｄを通じて一体に成形され、こうして、これら全ての床板、すなわち、一枚の第１の床板５３および四枚の第２の床板５４、５４が、一体に形成される。なお、符号５ｅは、各第２の床板５４、５４の反ヒンジ部５ｄ側の端縁部に設けられた、指掛けとか工具差し入れ用の切欠き部である。
【００２１】
ここで、支持体４の支持体本体４１と、配線用床板５の床板本体５１とは、各種のプラスチックが含まれるプラスチック廃棄物（例えば、容器包装に係る分別収集及び再商品化の促進等に関する法律（容器包装リサイクル法）に基づいて、分別収集されたプラスチック製容器包装廃棄物）を粉砕した、複数種類のプラスチックが含まれる混合物を、材料にして、融点の低い一部の材料が溶融されてつなぎとなり融点の高い他の材料が粉砕物のままで一体化された溶融混合物によって成形される。そして、この混合物を構成する主な構成物の比重は、１．０未満となっている。
【００２２】
詳細には、各種のプラスチックが含まれるプラスチック廃棄物（例えば、前記容器包装リサイクル法に基づいて分別収集されたプラスチック製容器包装廃棄物）を粉砕、洗浄して、複数種類のプラスチックが含まれる混合物を形成する。そして、その混合物を溶融化することで、融点の低い一部の材料が溶融されてつなぎとなり融点の高い他の材料が粉砕物のままで一体化された溶融混合物とする。次いで、その溶融混合物をプレス機によりプレス（圧縮）して、支持体４の支持体本体４１と、配線用床板５の床板本体５１とを成形する。
【００２３】
ここにおいて、プラスチック廃棄物の粉砕は、粉砕機を用い、例えば、１〜２０ｍｍの範囲のものを含むようにして、平均１０ｍｍ程度に粉砕される。もっとも、プラスチック廃棄物の、粉砕と洗浄は、粉砕洗浄機を用いることで、一つの機械で行なうこともできる。また、混合物の形成に至る過程で、プラスチック廃棄物を、比重分離機（例えば、遠心比重分離機とか湿式比重分離機（水比重分離機））により分離して、混合物を構成する主な構成物の比重を、１．０未満とすることができる。この際、プラスチック廃棄物は、比重１．０未満の、ＰＰ、ＰＥ等のポリオレフィン系樹脂が主体となるが、その他に、ＰＳ、ＰＥＴとか、プラスチックに貼り付けられたアルミ蒸着ラベルや紙系ラベル等の剥がし残り等が若干含まれる。そして、このように、混合物を構成する主な構成物の比重を１．０未満とすることで、塩化ビニル樹脂をほとんど排除することができる。
【００２４】
また、プラスチック廃棄物を、比重１．０未満に分離した後には、そのプラスチック廃棄物を、必要に応じて、脱水・乾燥する。なお、プスチック廃棄物は、比重分離機にかけられる前に、攪拌タンクにより、プラスチックとダストに分離されるのが良い。
【００２５】
また、混合物を溶融化するにあたっては、混合物を、造粒化し、その造粒化した混合物を、攪拌することで発生する摩擦熱により溶融（例えば、半溶融の状態に溶融）する。ここで、混合物の造粒化においては、造粒機を用いて、混合物を圧縮して固め、例えば、直径５〜１０ｍｍ、長さ５〜３０ｍｍ程度の柱状、またはその他の形状の、粒状物あるいは小片に形成する。そして、この造粒化した混合物を攪拌すると、例えば、ＰＥ、ＰＰが溶融し始め、その後ＰＳが溶融するというように、これら融点の低い一部の材料ＰＥ、ＰＰ、ＰＳ等は、溶融するが、融点の高いプラスチックとか、アルミや紙等、融点の高い他の材料は、溶融することなく残る。こうして、融点の低い一部の材料が溶融されてつなぎとなり融点の高い他の材料が粉砕物のままで一体化された溶融混合物から、支持体４の支持体本体４１と、配線用床板５の床板本体５１とを成形することとなる。
【００２６】
ここで、支持体４の支持体本体４１と、配線用床板５の床板本体５１の材料となる混合物の組成の一例を、表１に示す。
【００２７】
【表１】
2008138450.tif 000003
【００２８】
次に、配線用床板５の作用効果について説明する。この配線用床板５によると、床板本体５１における、支持部材４ａ、４ａ（詳細には、段部４ｂ、４ｂ）に載置される載置部分５５の下面５５ａと、配線空間Ｓを閉塞する閉塞部分５６の下面５６ａとからなる、床板本体５１の下面５１ａの、略全面を覆うように耐火紙５２を設けることで、配線用床板５のコストを低減することができ、かつ、配線用床板５のがたつきによる衝突音を低減することができる。すなわち、配線空間Ｓ内で火災が発生しても、耐火紙５２の、閉塞部分５６の下面５６ａを覆う閉塞部分覆い部５２ｂが、床板本体５１への延焼を抑制するため、床板本体５１に安価な可燃材料を用いることが可能となる。また、耐火紙５２の、載置部分５５の下面５５ａを覆う載置部分覆い部５２ａが、配線用床板５、５の、支持部材４ａ、４ａ（詳細には、段部４ｂ、４ｂ）に対するがたつきを吸収し、そのがたつきによる衝突音を低減することができる。
【００２９】
また、配線用床板５の床板本体５１が、各種のプラスチックが含まれるプラスチック廃棄物から得られる混合物を材料にして成形されるため、その床板本体５１の製造コストが安価となる。すなわち、混合物は、プラスチック廃棄物から得られ、しかも、混合物は、複数種類のプラスチックが含まれたものであるため、単一の材料に分別する工程を省くことができる。これにより、材料となる混合物のコストを削減することができ、その結果、床板本体５１の製造コストを安価にすることができる。そして、このように、プラスチック廃棄物を複数種類のプラスチックが含まれた混合物の状態で使うことで、床板本体５１の製造コストが安価となるため、配線用床板５の製造コストを低減することができる。
【００３０】
また、材料となる混合物を溶融化して床板本体５１を成形する際、融点の低いプラスチックから順に溶融するが、融点の高いプラスチックは、溶融しきれずに残ることがある。さらに、混合物に、プラスチック以外に、紙とかアルミ等が含まれている場合には、これら紙とかアルミ等は、溶融することなく残る。こうして、融点の高い、プラスチックや、紙とかアルミ等が、溶融することなく粉砕物のままの材料の状態で残ると、その材料が床板本体５１の表面に露出する。これにより、床板本体５１の表面がざらつき、配線用床板５の上にカーペット等の敷物とか仕上げ材を載置した際には、その敷物とか仕上げ材が滑り難くなる。
【００３１】
また、床板本体５１を中実平板状にすることで、床板本体５１、ひいては配線用床板５の強度を十分に確保することが容易となる。そして、部屋の壁際に配置される配線用床板５において、その配線用床板５をカットする場合にも、床板本体５１が中実であることから、床板本体５１、ひいては配線用床板５の強度を維持することができ、この配線用床板５のカットに容易に対応することができる。しかも、配線用床板５の床板本体５１を中実平板状にすることで、リブのように突出した部分がある場合と比較すると、配線空間Ｓ内で火災が発生しても、火災の熱が、床板本体５１の下面５１ａを覆うように設けられた耐火紙５２の、閉塞部分５６の下面５６ａを覆う閉塞部分覆い部５２ｂにて、面全体に広がって分散されるため、温度が高くなりにくい。さらに、床板本体５１を中実平板状にすることで、接着剤等の接着手段によって、床板本体５１の下面５１ａに耐火紙５２を貼り付ける作業が容易となる。
また、配線用床板５、５を繋ぐヒンジ部５ｄは、配線用床板５，５の床板本体５１、５１の成形の際に形成されるため、このヒンジ部５ｄは、簡単に形成される。さらに、配線用床板５、５は、ヒンジ部５ｄにより連結され、取り扱いが容易となるとともに、不陸に対して容易に追従することができる。特に、ヒンジ部５ｄは、床板本体５１の厚さの略中央位置に設けられているため、ヒンジ部５ｄを中心にした配線用床板５の回動を、上下で均等に行なうことができる。
【００３２】
なお、本発明は、上述した実施の形態に限定されるわけではなく、その他種々の変更が可能である。例えば、支持体４の支持体本体４１と、配線用床板５の床板本体５１との成形の材料となる混合物には、複数種類のプラスチックが含まれるが、プラスチック以外に、紙とか、アルミ等の無機物や、有機低分子物等が含まれていても構わない。また、混合物の元となるプラスチック廃棄物としては、家庭等から排出されたりするプラスチック製容器包装廃棄物が一般的であるが、容器包装廃棄物に限定されるものではない。また、混合物を構成する主な構成物の比重は、１．０未満とするのが望ましいが、この値に限定されるものではない。
【００３３】
また、床板本体５１は、各種のプラスチックが含まれるプラスチック廃棄物から得られる混合物を材料にして成形されなくても、例えば、バージン材からなるポリエチレン樹脂等のプラスチック材や、木材等、他の可燃材料により成形されてもよい。また、同じく、支持体本体４１は、各種のプラスチックが含まれるプラスチック廃棄物から得られる混合物を材料にして成形されなくても、例えば、バージン材からなるポリエチレン樹脂等のプラスチック材や、あるいはその他の材料により成形されてもよい。
【００３４】
また、支持体４は、支持体本体４１（すなわち、プラスチック成形品）のみからならなくとも、例えば、配線用床板５の耐火紙５２と同様の、耐火紙が、支持体本体４１の、配線空間Ｓ内に露出する部分を覆うように設けられることで、支持体本体４１とその耐火紙とが一体となって、支持体４が形成されてもよいなど、支持体本体４１に他の補助部材が設けられてもよい。
【００３５】
また、支持体４は、平面視が正方形形状に形成されていなくても、他の形状に形成されていてもよい。
【００３６】
また、支持体４において、支持部材４ａは、図５、図７に示すような裏面側が開口する中空箱型に形成されていなくてもよい。
【００３７】
また、支持体４において、配線溝３は、仕切り突起４ｆ、４ｆにより、中央の主配線溝３ａと、段部４ｂ側の副配線溝３ｂとに別けられなくてもよい。
【００３８】
また、支持体４において、複数（図示実施の形態においては四つ）の支持部材４ａ、４ａは、底板４ｃを介して一体に形成されているが、それら支持部材４ａ、４ａは、別々に形成されてもよい。このとき、支持部材４ａ、４ａは、平面視が正方形形状であってもよいし、他の形状、例えば、図１３に示す第二の実施の形態のような、根太材形状であってもよい。この場合、これら根太材形状の支持部材４ａ、４ａは、所定間隔をおいて基礎床面１に配置される。また、配線用床板５は、第一の実施の形態で示した配線用床板５と同様に、可燃材料（プラスチック、木等）により形成された床板本体５１と、その床板本体５１における、前記支持部材４ａ、４ａに載置される載置部分５５の下面５５ａと、配線空間Ｓを閉塞する閉塞部分５６の下面５６ａとからなる、床板本体５１の下面５１ａの、略全面を覆うように設けられた耐火紙５２とを備える。そして、前記配線用床板５が、下方に配線空間Ｓを形成すべく、前記根太材形状の支持部材４ａ、４ａに架け渡されるように載置される。
【図面の簡単な説明】
【００３９】
【図１】この発明の第一の実施の形態の、配線用床板を支持部材に載置したときの、平面図である。
【図２】同じく、正面図である。
【図３】同じく、支持体本体の平面図である。
【図４】同じく、支持体本体の正面図である。
【図５】同じく、支持体本体の底面図である。
【図６】同じく、図３におけるＡ−Ａ線による断面図である。
【図７】同じく、図３におけるＢ−Ｂ線による断面図である。
【図８】同じく、配線用床板の平面図である。
【図９】同じく、配線用床板の正面図である。
【図１０】同じく、配線用床板の底面図である。
【図１１】同じく、図８におけるＣ−Ｃ線による断面図である。
【図１２】同じく、ケーブルの配線を示す平面図である。
【図１３】この発明の第二の実施の形態の、配線用床板を支持部材に載置したときの、斜視図である。
【符号の説明】
【００４０】
４ａ  支持部材
５  配線用床板
５１  床板本体
５１ａ  床板本体の下面
５２  耐火紙
５５  載置部分
５５ａ  載置部分の下面
５６  閉塞部分
５６ａ  閉塞部分の下面
Ｓ  配線空間
【図１】
2008138450.tif 000004
【図２】
2008138450.tif 000005
【図３】
2008138450.tif 000006
【図４】
2008138450.tif 000007
【図５】
2008138450.tif 000008
【図６】
2008138450.tif 000009
【図７】
2008138450.tif 000010
【図８】
2008138450.tif 000011
【図９】
2008138450.tif 000012
【図１０】
2008138450.tif 000013
【図１１】
2008138450.tif 000014
【図１２】
2008138450.tif 000015
【図１３】
2008138450.tif 000016